(57)【特許請求の範囲】
【請求項１】
肌側シート、非肌側シート、及びこれら両シート間に位置する、吸収性物品の前後方向に長い形状の吸収性コアを備え、着用者の液排泄部に対向配置される排泄部対向部及び該排泄部対向部より後方に配される後方部を有する吸収性物品であって、
前記吸収性コアは、前記排泄部対向部に排泄部隆起領域を有し、前記後方部における幅方向の中央部に後方隆起領域を有しており、
前記排泄部隆起領域及び前記後方隆起領域は、それぞれ、周囲を囲む部分よりも厚みが厚く、吸収性物品の肌対向面に着用者の肌側に向かって突出する中高部を形成しており、
前記吸収性コアにおける前記排泄部隆起領域と前記後方隆起領域との間に、該吸収性コアの幅方向の全域に亘って、厚みが、該排泄部隆起領域及び該後方隆起領域の厚みより薄い中間領域が形成されており、
前記排泄部隆起領域には、前記吸収性コアの幅方向に延びる、その前後の領域よりも低坪量の中央横溝部が形成され、
前記中間領域には、前記排泄部隆起領域と前記後方隆起領域との間を通って幅方向に延びる、その前後の領域よりも低坪量の中間横溝部が形成されており、該中間横溝部は、前記排泄部隆起領域及び前記後方隆起領域の両方から離間しており、
前記中間領域の面積に対する前記中間横溝部の面積の比が、前記排泄部隆起領域の面積に対する前記中央横溝部の面積の比よりも大きく、
前記中間領域の面積に対する前記中間横溝部の面積の比が、０．０１以上０．７０以下である、吸収性物品。
【請求項２】
前記後方隆起領域は、低坪量部と高坪量部とを有し、該低坪量部により前記吸収性コアの幅方向に延びる後方横溝部が形成され、前記中間領域の面積に対する前記中間横溝部の面積の比が、前記後方隆起領域の面積に対する前記後方横溝部の面積の比よりも大きい、請求項１に記載の吸収性物品。
【請求項３】
前記中間横溝部は、前記中間領域の前記吸収性コアの長手方向に沿う長さを２等分する中間領域中央線と重なるように形成されている、請求項１又は２に記載の吸収性物品。
【請求項４】
前記中間横溝部が、前記中間領域における前記吸収性コアの幅方向の全域に亘っている、請求項１〜３の何れか１項に記載の吸収性物品。
【請求項５】
前記中間横溝部が、前記排泄部隆起領域と前記後方隆起領域との間において前記吸収性コアの幅方向に延びる細幅部分と、該細幅部分よりも該吸収性コアの幅方向の端部寄りに位置し、該吸収性コアの長手方向における長さが、それぞれ該中間横溝部の同方向の長さよりも長い一対の低坪量凹部を有する、請求項１〜３の何れか１項に記載の吸収性物品。
【請求項６】
前記低坪量凹部が、前記吸収性コアの長手方向の両端縁まで延在している、請求項５に記載の吸収性物品。
【請求項７】
前記中央横溝部及び前記中間横溝部、又は前記中央横溝部、前記中間横溝部及び前記後方横溝部が、前記吸収性コアの前記上面側に開口している、請求項１〜６の何れか１項に記載の吸収性物品。
【請求項８】
前記中間領域が、前記排泄部隆起領域及び前記後方隆起領域のそれぞれよりも剛性が低い、請求項１〜７の何れか１項に記載の吸収性物品。
【発明の詳細な説明】
【技術分野】
【０００１】
本発明は、生理用ナプキン、失禁パッド等の吸収性物品に関する。
【背景技術】
【０００２】
従来、就寝時の使用に適した夜用の生理用ナプキンのように、着用者の前後方向に沿う長手方向の長さが長い吸収性物品においては、着用者の肌との間に隙間があると、就寝姿勢において、液が肌の表面を伝って臀部に流れてしまい、液漏れにつながる場合があった。
そのため、吸収性物品の吸収体に部分的に厚みの厚い肉厚部を形成して、肌対向面に中高部を形成させることによって、身体に対するフィット性を高める技術が知られている（特許文献１，２参照）。しかし、吸収体の坪量を部分的に高めて中高部を形成した場合には、中高部の剛性が高く、折れ曲がり難かったり、一か所で強く折れ曲がる等によって、着用者の肌との間に却って隙間が生じ易くなる場合もあった。
また、特許文献１には、吸収体に形成した肉厚部を前後に分割して、その中間部分にエンボスなどの加工により高密度の圧搾部とすることで折り曲げ起点とし、身体との間の隙間を減らすことが提案されているが、臀部にフィットさせるための柔軟性としては不十分であった。
【先行技術文献】
【特許文献】
【０００３】
【特許文献１】特開２００６−２３９１６２号公報
【特許文献２】特開２０１４−１０４０９４号公報
【発明の概要】
【発明が解決しようとする課題】
【０００４】
したがって本発明の課題は、前述した従来技術が有する欠点を解消し得る吸収性物品を提供することにある。
【課題を解決するための手段】
【０００５】
本発明は、肌側シート、非肌側シート、及びこれら両シート間に位置する、吸収性物品の前後方向に長い形状の吸収性コアを備え、着用者の液排泄部に対向配置される排泄部対向部及び該排泄部対向部より後方に配される後方部を有する吸収性物品であって、前記吸収性コアは、前記排泄部対向部に排泄部隆起領域を有し、前記後方部における幅方向の中央部に後方隆起領域を有しており、前記排泄部隆起領域及び前記後方隆起領域は、それぞれ、周囲を囲む部分よりも厚みが厚く、吸収性物品の肌対向面に着用者の肌側に向かって突出する中高部を形成しており、前記吸収性コアにおける前記排泄部隆起領域と前記後方隆起領域との間に、該吸収性コアの幅方向の全域に亘って、厚みが、該排泄部隆起領域及び該後方隆起領域の厚みより薄い中間領域が形成されており、前記排泄部隆起領域には、前記吸収性コアの幅方向に延びる、その前後の領域よりも低坪量の中央横溝部が形成され、前記中間領域には、前記排泄部隆起領域と前記後方隆起領域との間を通って幅方向に延びる、その前後の領域よりも低坪量の中間横溝部が形成されており、該中間横溝部は、前記排泄部隆起領域及び前記後方隆起領域の両方から離間しており、前記中間領域の面積に対する前記中間横溝部の面積の比が、前記排泄部隆起領域の面積に対する前記中央横溝部の面積の比よりも大きい、吸収性物品を提供するものである。
【発明の効果】
【０００６】
本発明の吸収性物品によれば、排泄部隆起領域及び後方隆起領域により形成される中高部による液の吸収性と、排泄部隆起領域と後方隆起領域の間の中間領域における着用者の肌面の形状に沿う柔軟性とを兼ね備え、着用者の肌との間に隙間が生じることによる漏れを確実に防止することができる。
【図面の簡単な説明】
【０００７】
【図１】図１は、本発明の第１実施形態である生理用ナプキンを示す斜視図である。
【図２】図２は、図１の生理用ナプキンの吸収性コアを示す斜視図である。
【図３】図３は、図１のＩＩＩ−ＩＩＩ線断面図である。
【図４】図４は、図１のＩＶ−ＩＶ線断面図である。
【図５】図５は、図１の生理用ナプキンの吸収性コアの肌対向面側から視た平面図である。
【図６】図６は、図１に示す生理用ナプキンにおける図７のＶＩ−ＶＩ線に沿う長手方向の断面を示す断面図である。
【図７】図７は、図５に示す吸収性コアの一部を拡大して示す拡大平面図である。
【図８】図８は、図１に示す生理用ナプキンの着用状態における変形状態を示す模式断面図である。
【図９】図９（ａ）及び図９（ｂ）は、図１に示す生理用ナプキンの吸収性コアの製造に好ましく使用される積繊ドラムの周方向に沿う断面を示す模式図であり、図９（ａ）は、集積用凹部に、吸収性コアの形成材料が堆積する前の状態、図９（ｂ）は、集積用凹部に、吸収性コアの形成材料が堆積した状態を示す図である。
【図１０】図１０は、第２実施形態の生理用ナプキンの吸収性コアの図７相当図である。
【図１１】図１１（ａ）〜図１１（ｆ）は、本発明の他の実施形態における吸収性コアを示す平面図である。
【図１２】図１２は、実施例及び比較例の生理用ナプキンについての剛性の測定結果を示すグラフである。
【発明を実施するための形態】
【０００８】
以下本発明を、その好ましい実施形態に基づき図面を参照しながら説明する。
本発明の第１実施形態である生理用ナプキン１（以下、単にナプキン１ともいう）は、図１に示すように、ナプキン１の前後方向Ｘに長い形状の吸収性本体６と、一対のウイング部７，７と、一対の後方フラップ部８，８とを有している。生理用ナプキン等の吸収性物品に関し、「前後方向」とは、着用時に着用者の前後方向と一致する方向である。
ナプキン１は、その前後方向Ｘに、前方部Ａ、排泄部対向部Ｂ及び後方部Ｃを有しており、排泄部対向部Ｂにおける吸収性本体６の左右両側に一対のウイング部７，７、後方部Ｃにおける吸収性本体６の左右両側に一対の後方フラップ部８，８を有していて、いわゆる夜用として好ましく使用されるナプキンである。夜用ナプキンとは、就寝時に使用されることを想定しており、全長が３０ｃｍ以上であることが好ましい。
【０００９】
本発明の吸収性物品において、排泄部対向部Ｂは、幅方向の中央部に、着用者の液排泄部（膣口等）が対向配置される部分であり、前方部Ａは、排泄部対向部Ｂより着用者の前側（腹側）に配される部分であり、後方部Ｃは、排泄部対向部Ｂより着用者の背中側に配される部分である。排泄部対向部Ｂは、本実施形態のナプキン１のようにウイング部を有する場合には、吸収性物品の前後方向（吸収性本体の長手方向に同じ。図中のＸ方向）においてウイング部を有する領域（ウイング部の前後方向一方側の付け根と他方側の付け根とに挟まれた領域）である。ウイング部を有しない吸収性物品における排泄部対向部は、吸収性物品が３つ折りの個装形態に折り畳まれた際に生じる、該吸収性物品を横方向（吸収性物品の幅方向、図中のＹ方向）に横断する２本の折曲線（図示せず）について、該吸収性物品の縦方向の前端から数えて第１折曲線と第２折曲線とに囲まれた領域である。また、本明細書において、肌対向面は、吸収性物品又はその構成部材における着用時に着用者の肌側に向けられる面であり、非肌対向面は、吸収性物品又はその構成部材における着用時に着用者の肌側とは反対側（衣類側）に向けられる面である。
【００１０】
ナプキン１は、図３又は図４に示すように、肌対向面を形成する肌側シート２、非肌対向面を形成する非肌側シート３、及びこれら両シート２，３間に配置された吸収性コア４を備えている。肌側シート２は、液透過性の表面シート２ａ及びその両側に接合された一対の立体ガード形成用シート２ｂ，２ｂを備えている。液透過性の表面シート２ａは、吸収性本体６の幅方向の中央部に、吸収性本体６の全長に亘るように配されている。立体ガード形成用シート２ｂは、吸収性本体６の幅方向中央側に位置し外方に向かって折り返された折り返し部２１を有し、該折り返し部２１よりも幅方向Ｙの外方に位置する接合部２２において表面シート２ａ上に接合されている。立体ガード形成用シート２ｂは、立体ガードの自由端を形成する側縁部２３の近傍に立体ガード形成用の弾性部材２４を有しており、着用時には、その弾性部材２４の収縮力により、排泄部対向部Ｂにおける前記接合部２２から側縁部２３までの間が着用者の肌側に向かって起立して立体ガード１０を形成する。立体ガード１０は、少なくとも、後述する排泄部隆起領域４０の存在領域において起立可能となっている。本実施形態のナプキン１では、前方部Ａの一部及び後方部Ｃの大部分においては、立体ガード形成用シート２ｂが表面シート側に固定されて起立しない非起立部分となっている。
【００１１】
一対のウイング部７，７及び一対の後方フラップ部８，８は、吸収性コア４の両側縁から延出した立体ガード形成用シート２ｂ及び非肌側シート３からなる。一対のウイング部７それぞれの非肌側シート３からなる面には、ショーツのクロッチ部の非肌対向面に固定するためのウイング部粘着部７１が設けられ、吸収性本体６の非肌対向面には、該吸収性本体６をショーツの内面に固定するための本体粘着部（図示せず）が設けられている。後方フラップ部８は、着用時に、ショーツの内面（肌側に向けられる面）上に配される。後方フラップ部８の非肌側シート３からなる面にも、ショーツの内面に固定するための粘着部が設けられていることが好ましい。肌側シート２と非肌側シート３とは、吸収性コア４の周縁部より外方が接着剤で互いに接合されていると共にナプキン１の周縁部において熱シールにより接合されている。
【００１２】
ナプキン１における吸収性コア４は、パルプ繊維等の繊維材料からなる繊維集合体又は該繊維集合体に高吸水性ポリマーを保持させたものからなる。吸収性コア４は、上下両面を、ティッシュペーパーや透水性の不織布からなるコアラップシート（図示せず）によって被覆されて吸収体を構成している。コアラップシートは、吸収性コア４の形成材料の漏れ出しを防止したり、吸収性コア４の保形性を高める目的で使用される。肌側シート２と、吸収性コア４の肌対向面側を被覆するコアラップシートとの間、及び非肌側シート３と吸収性コア４の非肌対向面側を被覆するコアラップシートとの間は、ドット、スパイラル、ストライプ等のパターン塗工された接着剤により互いに接合されていることが好ましい。
【００１３】
図２に示すように、ナプキン１における吸収性コア４は、ナプキン１の前後方向Ｘと同方向に長い形状を有する。したがって、吸収性コア４の長手方向は、ナプキン１の前後方向Ｘと同方向であり、吸収性コア４の幅方向は、ナプキン１の幅方向Ｙと同方向である。なお、吸収性コア４は、図５に示すように、長手方向Ｘに延びる一対の側縁４ｓ、４ｓと、円弧状の前端縁４ａ及び後端縁４ｃを有する。
また、図２に示すように、吸収性コア４は、排泄部対向部Ｂにおける幅方向Ｙの中央部に排泄部隆起領域４０を有し、後方部Ｃにおける幅方向Ｙの中央部に後方隆起領域５０を有している。排泄部隆起領域４０は、その周囲を囲む部分４３よりも厚みが厚く、後方隆起領域５０も同様に、その周囲を込む部分４３よりも厚みが厚い。
また、排泄部隆起領域４０及び後方隆起領域５０は、それぞれ、着用者の肌側に向かって突出している。
【００１４】
そして、ナプキン１においては、表面シート２ａの下に、排泄部隆起領域４０の中央肉厚部４１が存在することによって、排泄部対向部Ｂにおける肌対向面の幅方向中央部に、着用者の肌側に向かって突出する前方中高部１１が形成されており、また、表面シート２ａの下に、後方隆起領域５０が存在することによって、後方部Ｃにおける肌対向面の幅方向中央部に、着用者の肌側に向かって突出する後方中高部１２が形成されている。後方中高部１２は、ナプキン１の着用時に着用者の臀裂に対向配置されることが好ましい。前方中高部１１及び後方中高部１２は、本発明における中高部であり、それぞれの周囲を囲む部分よりも着用者の肌側に向かって突出している。
【００１５】
本実施形態のナプキン１における排泄部隆起領域４０は、図２及び図５に示すように、吸収性コアの長手方向Ｘに長い縦長の平面視形状を有する中央肉厚部４１と、中央肉厚部４１の長手方向に沿う両側縁それぞれから外方に膨出する側方肉厚部４２，４２とを有する。
吸収性コア４における中央肉厚部４１と側方肉厚部４２，４２との間には、中央肉厚部４１及び側方肉厚部４２，４２の何れの坪量（コア材料の坪量）よりも坪量が低い低坪量部が設けられ、該低密度部により縦溝部４９が形成されている。中央肉厚部４１は、図１に示すように、吸収性コア４の長手方向Ｘに延びる直線状の側端縁４１ｓ，４１ｓを有しており、また、中央肉厚部４１の前端縁４１ａ及び後端縁４１ｃは、前方及び後方に向かって幅方向Ｙの長さが漸減する形状となっている。より具体的には、中央肉厚部４１は、円弧状の前端縁４１ａ及び後端縁４１ｃを有し、全体として、長手方向Ｘに長軸を有する長円状の平面視形状を有している。
【００１６】
排泄部隆起領域４０や中央肉厚部４１は、ナプキン１の排泄部対向部Ｂのみに形成されていても良いが、図２に示す本実施形態のナプキン１のように、排泄部対向部Ｂから後方部Ｃの一部に亘って延在していることが、排泄物の吸収量を多くできることに加え、後方部端部へ向かって拡散する距離が長くなることで、長手方向だけではなく、幅方向への拡散も十分に起こり、長手方向Ｘへの拡散速度を抑えることができ、後方からの漏れを防ぐことができる点より好ましい。また、排泄部隆起領域４０や中央肉厚部４１は、排泄部対向部Ｂから後方部Ｃの一部に延在するとともに前方部Ａの一部に延在していても良い。
【００１７】
本実施形態における中央肉厚部４１は、吸収性コア４の幅方向に延びる中央横溝部４４及び吸収性コア４の長手方向に延びる中央縦溝部４６によって分割されており、それによって、中央肉厚部４１には、複数の小吸収部４５が形成されている。本実施形態における中央肉厚部４１においては、吸収性コア４の長手方向Ｘに沿って小吸収部４５が５個並んでおり、吸収性コア４の幅方向Ｙに沿って小吸収部４５が２個並んでおり、合計１０個の小吸収部４５が形成されている。
本実施形態の吸収性コア４においては、排泄部隆起領域４０及び後方隆起領域５０以外の部分が、厚みが略均一な標準吸収領域４３となっている。本実施形態における標準吸収領域４３は、排泄部隆起領域４０より前方、排泄部隆起領域４０を挟む側部部分、後述する中間領域６０、後方隆起領域５０を挟む吸収性コアの側部部分、及び後方隆起領域５０より後方に分布している。
【００１８】
排泄部隆起領域４０の厚みは、溝部（中央横溝部４４，中央縦溝部４６，中央横溝部４７，縦溝部４９）以外の部分の厚みであり、例えば、中央肉厚部４１の厚みは、小吸収部４５の厚みと同じである。本実施形態における吸収性コア４は、図２に示すように、標準吸収領域４３にも、吸収性コア４の幅方向Ｙに延びる横溝部４３ａ及び吸収性コア４の長手方向Ｘに延びる縦溝部４３ｂが形成されているが、排泄部隆起領域４０や後方隆起領域５０の厚みと対比される標準吸収領域４３の厚みは、横溝部４３ａ，縦溝部４３ｂ等の溝部が存在しない部分における厚みである。
また、後述する圧搾溝１３のように、表面シート２ａから吸収性コア４に至る防漏溝が設けられている場合、標準吸収領域４３、隆起領域（排泄部隆起領域４０，後方隆起領域５０）、中間領域６０等の、吸収性コアの各部の厚みを測定する際には、そのような防漏溝部分を含まないように測定する。
【００１９】
中央肉厚部４１の厚みは、ナプキン１の肌対向面に、肌に向かって突出する前方中高部１１を形成して排泄部対向部Ｂにおける液の吸収性等を向上させる観点等から、標準吸収領域４３の厚みの、好ましくは１２０％（即ち、１．２倍）以上、より好ましくは１５０％以上であり、また、好ましくは５００％以下、より好ましくは２００％以下であり、また、着用時の着用時における違和感を抑える観点から、標準吸収領域４３の厚みの、好ましくは１２０％以上５００％以下、より好ましくは１５０％以上２００％以下である。
また、中央肉厚部４１の厚みと標準吸収領域４３との厚みの差（前者−後者）は、好ましくは１．０ｍｍ以上、より好ましくは２．０ｍｍ以上であり、また、好ましくは８．０ｍｍ以下、より好ましくは６ｍｍ以下であり、また、好ましくは１．０ｍｍ以上８．０ｍｍ以下、より好ましくは２．０ｍｍ以上６．０ｍｍ以下である。このような好ましい厚み比や厚みの差は、後方隆起領域５０の厚みと標準吸収領域４３の厚みについても同様である。
なお、中央肉厚部４１の全範囲において上記厚みの関係になっていることが好ましいが、中央肉厚部４１の厚みに傾斜が設けられているような場合においては、最も厚い部分において上記の関係となっていればよい。
【００２０】
吸収性コアの各部の厚みは下記方法によって測定される。なお、本実施形態のナプキン１のように、吸収性コアがコアラップシートで被覆されている場合、吸収性コアの各部の厚みは、該吸収性コアがコアラップシートに包まれている状態で測定する。
＜吸収性コアの各部の厚みの測定方法＞
測定対象物である吸収性コアを水平な場所にシワや折れ曲がりがないように静置し、５ｃＮ／ｃｍ２の荷重下での厚みを測定する。本発明における厚みの測定には、厚み計 PEACOCK DIAL UPRIGHT GAUGES R5-C(OZAKI MFG.CO.LTD.製）を用いた。このとき、厚み計の先端部と測定対象物における測定部分との間に、平面視円形状又は正方形状のプレート（厚さ５ｍｍ程度のアクリル板）を配置して、荷重が５ｃＮ／ｃｍ２となるようにプレートの大きさを調整する。
【００２１】
側方肉厚部４２，４２も、中央肉厚部４１と同様に、標準吸収領域４３における厚みよりも厚みが厚い。本実施形態においては、側方肉厚部４２，４２のそれぞれにも、図２に示すように、吸収性コア４の幅方向に延びる中央横溝部４７が形成されており、それによって、側方肉厚部４２，４２のそれぞれに、複数の小吸収部４８が形成されている。
【００２２】
側方肉厚部４２の厚みは標準吸収領域４３の厚みの、好ましくは１２０％以上、より好ましくは１３０％以上であり、また、好ましくは２００％以下、より好ましくは１８０％以下であり、また、好ましくは１２０％以上２００％以下、より好ましくは１３０％以上１８０％以下である。また、側方肉厚部４２の厚みと標準吸収領域４３との厚みの差（前者−後者）は、好ましくは１．０ｍｍ以上、より好ましくは１．５ｍｍ以上であり、また、好ましくは８．０ｍｍ以下、より好ましくは６．０ｍｍ以下であり、また、好ましくは１．０ｍｍ以上８．０ｍｍ以下、より好ましくは１．５ｍｍ以上６．０ｍｍ以下である。側方肉厚部４２に、前述した横溝部４７や後述する圧搾溝１３（圧搾縦溝１４等）を有する場合の側方肉厚部４２の厚みは、それらの溝部や圧搾溝以外の部分の厚みを意味し、側方肉厚部４２の厚みと対比する標準吸収領域４３の厚みは、横溝部４３ａ，縦溝部４３ｂ等の溝部が存在しない部分における厚みである。
【００２３】
後方隆起領域５０も、中央肉厚部４１と同様に、標準吸収領域４３における厚みよりも厚みが厚い。本実施形態においては、後方隆起領域５０にも、図２に示すように、吸収性コア４の幅方向に延びる後方横溝部５１が形成されており、それによって、後方隆起領域５０に、複数の小吸収部５２，５２が形成されている。
【００２４】
後方隆起領域５０の厚みは、ナプキン１の肌対向面に、肌に向かって突出する後方中高部を形成して、身体（好ましくは臀裂）に対するフィット性を向上させる観点等から、吸収性コア４の標準吸収領域４３の厚みの、好ましくは１２０％以上、より好ましくは１５０％以上であり、また、好ましくは５００％以下、より好ましくは２００％以下であり、また、好ましくは１２０％以上５００％以下、より好ましくは１５０％以上２００％以下である。また、後方隆起領域５０の厚みと標準吸収領域４３の厚みの差（前者−後者）は、好ましくは１．０ｍｍ以上、より好ましくは２．０ｍｍ以上であり、また、好ましくは８．０ｍｍ以下、より好ましくは６．０ｍｍ以下であり、また、好ましくは１．０ｍｍ以上８．０ｍｍ以下、より好ましくは２．０ｍｍ以上６．０ｍｍ以下である。
【００２５】
後方隆起領域５０に、前述した後方横溝部５１や後述する圧搾溝１３等を有する場合の後方隆起領域５０の厚みは、それらの溝部や圧搾溝以外の部分の厚みを意味し、後方隆起領域５０の厚みと対比する標準吸収領域４３の厚みは、横溝部４３ａ，縦溝部４３ｂ等の溝部が存在しない部分における厚みである。
【００２６】
本実施形態における排泄部隆起領域４０及び後方隆起領域５０は、それぞれ、標準吸収領域４３よりも、吸収性コアの形成材料（以下「コア材料」ともいう）の坪量を増やして形成されている。即ち、排泄部隆起領域４０における溝部（中央横溝部４４，中央縦溝部４６，中央横溝部４７，縦溝部４９）以外の部分、及び後方隆起領域５０の溝部（後方横溝部５１）以外の部分は、コア材料の坪量が、標準吸収領域４３における坪量よりも大きい。本実施形態における吸収性コア４は、隆起領域（排泄部隆起領域４０及び後方隆起領域５０）とそのそれぞれを囲む部分との間に、コア材料の坪量に差を設けることによって厚み差を設けてあるため、坪量の均一な吸収性コアの一部を圧縮して厚み差を設ける場合とは異なり、吸収性コア４が全体として柔軟である。
【００２７】
また、排泄部隆起領域４０における溝部（中央横溝部４４，中央縦溝部４６，中央横溝部４７及び縦溝部４９）を形成している部分は、排泄部隆起領域４０における高坪量部である他の部分（小吸収部４５や小吸収部４８）に比して、コア材料の坪量が相対的に低い低坪量部となっている。同様に、後方隆起領域５０における溝部（後方横溝部５１）を形成している部分は、後方隆起領域５０における高坪量部である他の部分（小吸収部５２）に比して、コア材料の坪量が相対的に低い低坪量部となっている。
中央横溝部４４は、吸収性コアの長手方向Ｘにおいて、該中央横溝部４４の前後の領域よりも低坪量となっており、より具体的には、中央横溝部４４を挟んでその前後に位置する小吸収部４５よりも、コア材料の坪量が相対的に低い低坪量部となっている。中央横溝部４７も同様に、吸収性コアの長手方向Ｘにおいて、該中央横溝部４７の前後の領域よりも低坪量となっており、より具体的には、中央横溝部４７を挟んでその前後に位置する小吸収部４８よりも、コア材料の坪量が相対的に低い低坪量部となっている。
【００２８】
また、ナプキン１においては、図２に示すように、吸収性コア４における排泄部隆起領域４０と後方隆起領域５０との間に、吸収性コア４の幅方向Ｙの全域に亘って、厚みが、排泄部隆起領域４０及び後方隆起領域５０の厚みより薄い中間領域６０が形成されている。
中間領域６０は、図７に示すように、吸収性コア４の平面視において、排泄部隆起領域４０の後端４０ｅを通って吸収性コア４の幅方向Ｙに延びる第１仮想直線Ｌ４と、後方隆起領域５０の前端５０ｅを通って吸収性コア４の幅方向Ｙに延びる第２仮想直線Ｌ５との間の領域であり、図７中に平行斜線を付した領域である。
【００２９】
図６及び図７に示すように、吸収性コア４の中間領域６０にも、コア材料を減らして形成された横溝部６１と縦溝部６４が形成されており、横溝部６１及び縦溝部６４によって区画されて複数の小吸収部６５が形成されている。即ち、中間領域６０における溝部（横溝部６１及び縦溝部６４）を形成している部分は、中間領域６０における高坪量部である他の部分（小吸収部６５）に比して、コア材料の坪量が相対的に低い低坪量部となっている。本実施形態のナプキン１は、吸収性コア４の肌対向面に、前述した溝部４４，４６，４７，４９，５１，６１が形成されているが、吸収性コア４の非肌対向面側には、それらの溝部によって分断されていない連続層５９が形成されている。
【００３０】
本実施形態における吸収性コア４は、図７に示すように、中間領域６０に前述した横溝部６１が３本形成されており、吸収性コア４の平面視において、１本の横溝部６１は、排泄部隆起領域４０に接し、他の１本の横溝部６１は、後方隆起領域５０に接している。そして、残りの１本の横溝部６１は、排泄部隆起領域４０及び後方隆起領域５０の両方から離間しており、その１本の横溝部６１が、本実施形態における中間横溝部６２となっている。
中間横溝部６２は、吸収性コアの長手方向Ｘにおいて、該中間横溝部６２の前後の領域よりも低坪量となっており、より具体的には、中間横溝部６２を挟んでその前後に位置する小吸収部６５よりも、コア材料の坪量が相対的に低い低坪量部となっている。
【００３１】
本実施形態における中間横溝部６２は、図７に示すように、中間領域６０における吸収性コアの幅方向Ｙの全域に亘っており、中間領域６０に形成された他の横溝部６１も同様に、中間領域６０における吸収性コアの幅方向Ｙの全域に亘っている。
本発明における中間横溝部６２は、排泄部隆起領域４０と後方隆起領域５０との間に少なくとも一部が存在していれば良いが、中間横溝部６２は、吸収性コア４の幅方向Ｙに沿う方向の長さが、中間領域６０における吸収性コア４の同方向の全長の５０％以上であることが好ましく、より好ましくは７５％以上であり、本実施形態のように、吸収性コア４の幅方向Ｙの全域に亘っていることが、排泄部隆起領域４０及び後方隆起領域５０よりも中間領域６０の剛性を低くし、ナプキン１（吸収性物品）を、より柔軟として、着用者の肌面の形状に一層沿いやすくする観点から更に好ましい。更に、中間横溝部６２は、排泄部隆起領域４０と後方隆起領域５０とそれぞれと離間して存在おり、中間領域６０の全幅を二等分する中心線を通過するように配置されていることが、液の吸収性と着用者の肌面の形状へのより一層の沿い易さとを兼ね備え、着用者の肌との間に隙間が生じることによる漏れを一層確実に防止する点から好ましい。
【００３２】
本実施形態のナプキン１における吸収性コア４は、中間領域６０の面積（Ｓ１）に対する中間横溝部６２の面積（Ｓ２）の比（Ｓ２／Ｓ１，以下「中間横溝部の面積比」ともいう）が、排泄部隆起領域４０の面積（Ｓ３）に対する中央横溝部（中央横溝部４４及び中央横溝部４７）の面積（Ｓ４）の比（Ｓ４／Ｓ３，以下「中央横溝部の面積比」ともいう）よりも大きい。
中間領域６０の面積には、中間領域６０に形成された溝部、即ち横溝部６１及び縦溝部６４の面積が含まれる。また、中間横溝部６２の面積は、開口部の幅に、中間横溝部６２の長さ（延在方向の長さ）を乗じて算出され、縦溝部６４と交差する部分の面積も含まれる。
同様に、排泄部隆起領域４０の面積には、排泄部隆起領域４０に形成された溝部（中央横溝部４４，中央縦溝部４６，中央横溝部４７及び縦溝部４９）の面積が含まれる。また、中央横溝部の面積は、排泄部隆起領域４０に形成された横溝部の面積の合計であり、本実施形態においては、中央横溝部４４の面積と中央横溝部４７の面積の両者を含む面積である。
【００３３】
本実施形態のナプキン１によれば、中間横溝部の面積比が中央横溝部の面積比よりも大きく、中間横溝部６２が中間領域６０を占める割合が大きいため、図８に示すように、吸収性コア４は、中間領域６０付近の剛性が低下しており、着用者Ｍの液排泄部Ｅと臀部Ｈとの境界付近に位置する比較的曲率半径の小さい部位においても、着用者の肌面に沿う形状に変形し易い。そのため、排泄部隆起領域４０によって形成される前方中高部１１と後方隆起領域５０によって形成される後方中高部１２との間に、着用者の肌との間に隙間が生じ難い。また、排泄部隆起領域４０によって形成される前方中高部１１は、着用者Ｍの液排泄部Ｅ付近に柔軟にフィットし、排泄された液が、排泄部隆起領域４０に迅速に吸収される。また、後方隆起領域５０によって形成される後方中高部１２が、臀部Ｈの臀裂付近に柔軟にフィットし、着用者の肌表面を伝って後方に流れた液が、後方隆起領域５０により吸収される。
このように、本実施形態のナプキン１は、排泄部隆起領域及び後方隆起領域により形成される中高部による液の吸収性と、中間領域における柔軟性とを兼ね備えており、着用者の肌との間に隙間が生じることによる漏れを確実に防止することができる。
また、排泄部隆起領域４０と後方隆起領域５０との間に中間横溝部６２を配置することで、肌への密着性が高まり、排泄部隆起領域４０が後方部Ｃまで延びている場合においても、その排泄部隆起領域４０が予期せぬ変形をすることが抑制されることから、ナプキンの後方への排泄液の拡散速度の抑制が確実となり、後ろ漏れの抑制性能が高くなる。
【００３４】
斯かる効果がより確実に奏されるようにする観点から、中間横溝部６２は、吸収性コア４の長手方向Ｘに沿う長さＬ２が、好ましくは０．５ｍｍ以上、更に好ましくは１．０ｍｍ以上であり、また中間横溝部６２が広過ぎることによる液の横方向への誘導及びそれに起因する横漏れを防止する観点から、該長さＬ２は、好ましくは４．０ｍｍ以下、更に好ましくは３．０ｍｍ以下である。前記長さＬ２が、吸収性コア４の幅方向Ｙにおいて一定でない場合には、該長さＬ２は、排泄部隆起領域４０と後方隆起領域５０とが相対向する吸収性コア４の幅方向中央域の、縦溝部と交差していない部分の長さを測定する。
また、中間領域６０は、吸収性コア４の長手方向に沿う長さＬ６が、好ましくは５．０ｍｍ以上、更に好ましくは１０ｍｍ以上であり、また好ましくは４５ｍｍ以下、更に好ましくは４０ｍｍ以下であり、また好ましくは５．０ｍｍ以上４０ｍｍ以下、更に好ましくは１０ｍｍ以上４０ｍｍ以下である。
【００３５】
また、中間領域６０の前記長さＬ６は、排泄部隆起領域４０及び後方隆起領域５０の同方向の長さより短いことが好ましい。後方隆起領域５０の吸収性コア４の長手方向に沿う長さは、中間領域６０の前記長さＬ６の、好ましくは１．１倍以上２．１倍以下、更に好ましくは１．４倍以上１．８倍以下である。また、排泄部隆起領域４０の吸収性コア４の長手方向の長さは、後方隆起領域５０の同方向の長さより長いことが好ましく、また、吸収性コア４の同方向の全長の、１０％以上７０％以下であることが好ましく、３０％以上５０％以下であることが更に好ましい。
【００３６】
また、中間横溝部の面積比（Ｓ２／Ｓ１）は、好ましくは０．０１以上、更に好ましくは０．０２以上であり、また好ましくは０．７０以下、更に好ましくは０．５０以下であり、また好ましくは０．０１以上０．７０以下、更に好ましくは０．０２以上０．５０以下である。また、中央横溝部の面積比（Ｓ４／Ｓ３）は、好ましくは０．０１以上、更に好ましくは０．０２以上であり、また好ましくは０．１２以下、更に好ましくは０．１０以下であり、また好ましくは０．０１以上０．１２以下、更に好ましくは０．０２以上０．１０以下である。また、中間横溝部の面積比（Ｓ２／Ｓ１）と中央横溝部の面積比（Ｓ４／Ｓ３）との比〔（Ｓ２／Ｓ１）／（Ｓ４／Ｓ３）〕は、好ましくは１．０５以上、更に好ましくは１．１０以上であり、また好ましくは１０．０以下、更に好ましくは８．５０以下であり、また好ましくは１．０５以上１０．０以下、更に好ましくは１．１０以上８．５０以下である。
また、後方横溝部の面積比（Ｓ６／Ｓ５）は、好ましくは０．０１以上、更に好ましくは０．０２以上であり、また好ましくは０．１０以下、更に好ましくは０．０８以下であり、また好ましくは０．０１以上０．１０以下、更に好ましくは０．０２以上０．０８以下である。
【００３７】
また、中間領域６０及びその付近の柔軟性を向上させる観点から、中間横溝部６２の深さは、好ましくは０．５ｍｍ以上、更に好ましくは１ｍｍ以上であり、また、吸収性コア４としての連続性を維持しつつ、中間領域６０及びその付近の柔軟性を向上させる観点から、該深さは、中間領域６０の厚みの、好ましくは２０％以上８０％以下、更に好ましくは３０％以上６０％以下である。中間領域６０の厚みは、溝部以外の部分の厚みであり、前述した排泄部隆起領域の厚みの測定方法と同様にして測定し、中間横溝部６２の深さは、排泄部隆起領域の厚みの測定と同一の荷重を加えた状態下の吸収性コアの切断面を観察して計測する。
なお、第１実施形態のナプキン１においては、中間領域６０の厚みは標準吸収領域４３の厚みと同一であり、また、吸収性コア４の総ての溝部を形成している低坪量部の厚みは同じである。また、各溝部を形成する低坪量部の厚みは、該溝部の底部と、吸収性コアの非肌対向面側の面との間の距離である。
【００３８】
本実施形態のナプキン１によれば、吸収性コア４が、排泄部対向部Ｂに、中央肉厚部４１とその両側に位置する側方肉厚部４２，４２とからなる排泄部隆起領域４０を有するため、中央肉厚部４１を有する部分が、着用者の液排泄部にフィットし、液排泄部から排泄された経血等の排泄液が迅速に吸収される。また、ナプキン１をショーツ等の衣類に固定して装着した際に、ナプキン１の身体の前後方向に延びる中心線と、中央肉厚部４１の長手方向に延びる中心線とが一致しない場合であっても、側方肉厚部４２，４２の存在によって、幅方向からの漏れが抑制され易くなるとともに、側方肉厚部４２が排泄部対向部Ｂにしっかりと装着される結果、十分な吸収性能が発現され、排泄点のズレによる吸収性能の低下といった不都合が生じ難くなる。
【００３９】
また、側方肉厚部４２，４２の存在により、着用中に、着用者の大腿部によって左右両側からの圧力を受けても、吸収性コア４の両側部や吸収性本体６の両側部にヨレが生じにくく、吸収性コア４が幅方向に波打つように収縮したり、不規則な皺が生じたりすることによる、吸収可能な液の容積の低下や身体に対するフィット性の低下、違和感の発生が生じにくい。
このように、本実施形態の生理用ナプキン１によれば、装着位置が多少ズレしても十分な吸収性能が発現されるとともに、ヨレが生じにくく、違和感や液漏れ等の不都合が生じくい。
【００４０】
また、本実施形態のナプキン１においては、中央肉厚部４１が、溝部４４，４６を有し、複数の小吸収部４５に分割されているため、ナプキン１のショーツ等の衣類に固定して装着した際に、柔軟に変形する。しかも、溝部４４，４６が、中央肉厚部４１に、小吸収部４５におけるコア材料の坪量よりも低い坪量の低坪量部を設けて形成されているため、中央肉厚部４１は、エンボス加工等による圧縮によって形成した溝部を有する場合に比して、溝に沿った屈曲だけではなく、高い自由度を持って柔軟に変形する屈曲部として機能するものとなる。それにより、生理用ナプキン１は、着用者の動作に対する追従性に一層優れたものとなる。
【００４１】
また、側方肉厚部４２が、溝部４７を有し、複数の小吸収部４８に分割されているため、排泄部対向部における左右両側においても柔軟な変形をすることが可能である。しかも、溝部４７が、側方肉厚部４２に、小吸収部４８におけるコア材料の坪量よりも低い坪量の低坪量部を設けて形成されているため、側方肉厚部４２は、エンボス加工等による圧縮によって形成した溝部を有する場合に比して、着用者から加わる幅方向斜め外方から内方への力を緩衝しながら中央肉厚部４１に伝えることが可能となる。したがって、中央肉厚部４１のヨレを防ぎながら、着用者肌側へ適度な力で湾曲し、当接されるので、不快感を抑制することが可能なものとなる。それにより、生理用ナプキン１は、着用者の動作に対する追従性と柔らかい装着感を与えながら、吸収性能に一層優れたものとなる。
【００４２】
また、後方隆起領域５０が、溝部５１を有し、複数の小吸収部５２に分割されているため、後方隆起領域５０が柔軟に変形可能である。しかも、溝部５１が、後方隆起領域５０に、小吸収部５２におけるコア材料の坪量よりも低い坪量の低坪量部を設けて形成されているため、後方隆起領域５０は、溝部５１を有しない場合や、エンボス加工等による圧縮によって形成した溝部を有する場合に比して、溝に沿った屈曲だけではなく、高い自由度を持って柔軟に変形する屈曲部として機能するものとなる。それにより、生理用ナプキン１は、着用者の肌へのフィット性や着用者の動作に対する追従性に一層優れたものとなる。
【００４３】
また、本実施形態のナプキン１においては、後方隆起領域５０が、高坪量部である小吸収部５２よりも低坪量の低坪量部を設けて形成された後方横溝部５１を有しており、前述した中間横溝部の面積比（Ｓ２／Ｓ１）が、後方隆起領域５０の面積（Ｓ５）に対する後方横溝部５１の面積（Ｓ６）の比（Ｓ６／Ｓ５、以下「後方横溝部の面積比」ともいう）よりも大きくなっている。これにより、本発明の効果が一層確実に奏される。
【００４４】
本実施形態のナプキン１における吸収性本体６の肌対向面（表面シート２ａ側の面）には、図１に示すように、肌側シート２である表面シート２ａ及び吸収性コア４が非肌側シート３側に向かって一体的に凹陥してなる圧搾溝１３が形成されており、該圧搾溝１３は、中央肉厚部４１の両外側を吸収性コア４の長手方向Ｘに沿って延びる圧搾縦溝１４と、前方部Ａ及び後方部Ｃにそれぞれ横方向Ｙに延びるように形成された前方圧搾溝１５及び後方圧搾溝１６と、中央肉厚部４１と後方隆起領域５０との間の中間領域６０に幅方向Ｙに延びるように形成された中間圧搾横溝１７とを有している。圧搾溝は、熱を伴うか又は伴わない圧搾加工（いわゆるエンボス加工）によって形成されている。圧搾溝においては、表面シート２ａと吸収性コア４とが一体化（結合）している。なお、本実施形態のナプキン１及びその吸収性コア４は、吸収性コア４を幅方向Ｙに２等分する長手方向中心線（図示せず）に対して左右対称に形成されている。
【００４５】
そして、本実施形態のナプキン１においては、表面シート２ａ（肌側シート２）と吸収性コア４とが圧搾一体化された圧搾溝１３としての一対の圧搾縦溝１４，１４が、それぞれ、前述した側方肉厚部４２，４２を、吸収性コア４の長手方向Ｘに縦断するように形成されている。
側方肉厚部４２，４２を、圧搾縦溝１４，１４が縦断していることによって、吸収性コア４の両側部や吸収性本体６の両側部に前述したヨレが一層生じにくくなり、また、中央肉厚部４１に対して着用時に幅方向外側から内側へ向かって加わる力によるヨレや過度な肌への押し付け力の発生を抑制できる。圧搾縦溝１４は、吸収性コア４の長手方向Ｘと完全に平行なものに制限されない。また、中間圧搾横溝１７は、図１に示すように、後方に向かって凸に湾曲した形状であり、中央肉厚部４１は、前後左右に圧搾溝が形成されている。また、中間圧搾横溝１７が、中間横溝部６１と６２の間を通るように形成されていることが、より着用者の肌面の形状に沿いやすくなる点から望ましい。圧搾溝の幅（長さ方向と直交する方向の長さ）及び深さは、この種の吸収性物品における圧搾溝と同様に設定すれば良い。圧搾溝は、溝（凹陥部）の形状が平面視において直線に限られず、曲線を含んでいても良く、また、圧搾溝は、不連続な多数の点エンボスのなす列から構成されていても良い。
【００４６】
また、本実施形態における吸収性コア４は、その全体が一体成形されている。「一体成形されている」とは、別の工程で製造した部材どうしを接着剤や圧縮などの接合手段で結合したものとは異なり、同一の材料を用いて、一つの工程で一体的に形成されていることを意味する。吸収性コア４は、溝部が開口する側とは反対側の非開口側に、それらの溝部によって分断されていない連続層５９を持っていることが吸収性能、吸収性コアの強度の点から好ましい。
【００４７】
上述したナプキン１の吸収性コア４は、図９（ａ）に示すように、外周面に集積用凹部５５を備え、一方向Ｒに回転する積繊ドラム５４と、該積繊ドラム５４の外周面に、コア材料を飛散状態で供給するダクト（図示せず）を備えた積繊装置を用いて製造することができる。
集積用凹部５５は、積繊ドラム５４の外周面の周方向に一定の間隔で複数個形成されている。集積用凹部５５の底面５６は、メッシュプレート等からなり、吸引孔として機能する多数の細孔を有している。
【００４８】
また、図９（ａ）に示すように、集積用凹部５５の底面５６の一部には、排泄部隆起領域４０及び後方隆起領域５０を形成するための２つの凹部５６ｂ，５６ｃが形成されている。また、凹部５６ｂの底部には、排泄部隆起領域４０に溝部４４を形成するための難通気性部材５７及び排泄部隆起領域４０に溝部４６，４７，４９を形成するための同様の難通気性部材（図示せず）が配置されている。また、凹部５６ｃの底部には、後方隆起領域５０に溝部５１を形成するための難通気性部材５７が配置されている。
また、集積用凹部５５の底面５６の凹部５６ｂ，５６ｃ以外の部分には、溝部４３ａ，４３ｂ，６１，６４を形成するための難通気性部材５８が形成されている。難通気性部材５７，５８は、集積用凹部５５の底面から突出するように固定されており、非通気性部材であっても良く、例えば金属やプラスチック、セラミック等からなる。
【００４９】
積繊ドラムを備えた公知の積繊装置と同様に、集積用凹部５５の底面から吸引しつつ、ダクト内に、パルプ繊維等のコア材料を供給することによって、図６（ｂ）に示すように、コア材料が集積用凹部５５内に所定形状に堆積する。その堆積物４００を、集積用凹部５５から離型することで、吸収性コア４が得られる。吸収性コア４は、コアラップシートで被覆する前又は被覆した後、一対のロール間に通すこと等により加圧し適度に圧縮させる。これにより、凹部５６ｂにおける、難通気性部材上に堆積したコア材料からなる部分が、坪量及び密度が相対的に小さい溝部４４，４６，４７，４９となり、該凹部５６ｂにおける難通気性部材を有しない底面上に堆積した部分が、坪量及び密度が相対的に大きい小吸収部４５，４８となる。また、凹部５６ｃにおける、難通気性部材上に堆積したコア材料からなる部分が、坪量及び密度が相対的に小さい溝部５１となり、該凹部５６ｃにおける難通気性部材を有しない底面上に堆積した部分が、坪量及び密度が相対的に大きい小吸収部５２となる。同様に、凹部５６ｂ，５６ｃ以外の部分においては、難通気性部材５８上に堆積したコア材料からなる部分が、坪量及び密度が相対的に小さい溝部４３ａ，４３ｂ，６１，６４となり、難通気性部材５８を有しない底面上に堆積した部分が、坪量及び密度が相対的に大きい、標準吸収領域４３の小吸収部又は中間領域の小吸収部６５となる。吸水性ポリマーを含む吸収性コアを製造する場合、ダクトの途中に吸水性ポリマーの導入部を設けることが好ましい。
【００５０】
表面シート２ａ、立体ガード形成用シート２ｂ、非肌側シート３としては、当該技術分野において従来用いられてきたものと同様のものを特に制限なく用いることができる。例えば、表面シート２ａとしては、液透過性を有する不織布や、穿孔フィルムを用いることができる。非肌側シート３としては、合成樹脂製の液不透過性フィルムや、スパンボンド−メルトブローン−スパンボンド積層不織布等の耐水圧が高い撥水性の不織布を用いることができる。また、立体ガード形成用シート２ｂとしては、耐水圧が高い撥水性の不織布、例えば、スパンボンド−メルトブローン−スパンボンド積層不織布等を用いることができる。
【００５１】
次に、本発明の第２実施形態の生理用ナプキンについて説明する。第２実施形態の生理用ナプキンについては、第１実施形態と異なる点について説明し、同様の点については説明を省略する。特に説明しない点については、第１実施形態のナプキン１と同様であり、同様の構成要素には同様の符号を付してある。
第２実施形態の生理用ナプキンの吸収性コア４は、中間領域６０に、図１０に示す形態の中間横溝部６２Ａを有している。図１０に示す中間横溝部６２Ａは、排泄部隆起領域４０と後方隆起領域５０との間において吸収性コア４の幅方向Ｙに延びる細幅部分６２ａと、該細幅部分６２ａよりも該吸収性コア４の幅方向の端部４ｓ寄りに位置し、該吸収性コアの長手方向Ｘにおける長さＬｂが、それぞれ細幅部分６２ａの同方向の長さＬａよりも長い一対の低坪量凹部６２ｂ，６２ｂを有している。
細幅部分６２ａは、第１実施形態のナプキン１における中間横溝部６２と同様の構成を有し、吸収性コア４の長手方向Ｘに沿う長さＬａや深さの好ましい値は、第１実施形態の中間横溝部６２と同様である。
【００５２】
中間横溝部６２Ａの一部を構成する低坪量凹部６２ｂ，６２ｂは、吸収性コア４の長手方向Ｘにおける長さＬｂが、細幅部分６２ａの同方向の長さＬａの５倍以上であることが好ましく、更に好ましくは１０倍以上であり、また好ましくは１０００倍以下、更に好ましくは２００倍以下である。中間領域６０に位置する低坪量凹部６２ｂは、中間領域６０の同方向Ｘの長さＬ６を上限として、吸収性コア４の長手方向Ｘにおける長さＬｂが、好ましくは２０ｍｍ以上、更に好ましくは２００ｍｍ以上である。また、低坪量凹部６２ｂは、吸収性コア４の幅方向Ｙの長さが、吸収性コア４に形成された全ての縦溝部より大きく、好ましくは４ｍｍ以上、更に好ましくは１０ｍｍ以上である。また、低坪量凹部６２ｂは、吸収性コア４の幅方向Ｙの長さが、中間領域６０における吸収性コア４の幅方向の全長の、好ましくは６％以上、より好ましくは１２％以上であり、また、好ましくは３０％以下、より好ましくは２０％以下である。
【００５３】
第２実施形態の生理用ナプキンにおいても、中間横溝部の面積比（Ｓ２／Ｓ１）が、中央横溝部の面積比（Ｓ４／Ｓ３）よりも大きい。そのため、第１実施形態のナプキン１と同様の効果が得られる。更に、中間領域６０付近の剛性が低下し、吸収性コア４及び該吸収性コアを含む生理用ナプキの身体形状に対するフィット性や追従変形性が一層向上する。
第２実施形態においても、中間横溝部の面積比（Ｓ２／Ｓ１）が後方横溝部の面積比（Ｓ６／Ｓ５）よりも大きいことが好ましい。第２実施形態においては、細幅部分６２ａの面積と中間領域６０に位置する一対の低坪量凹部６２ｂの面積との合計面積が、中間横溝部６２Ａの面積（Ｓ２）である。
【００５４】
以上、本発明をその好ましい実施形態に基づき説明したが、本発明は前記実施形態に制限されない。
例えば、第２実施形態のナプキンにおける低坪量凹部６２ｂと同様の低坪量凹部が、吸収性コア４の長手方向Ｘの両端縁４ａ，４ｃ、即ち前端縁４ａ及び後端縁４ｃ（図５参照）まで延在していることも好ましい。第２実施形態における低坪量凹部６２ｂは、吸収性コア４の側縁４ｓ，４ｓに接するように形成されており、前後と左又は右側の３方を、それより厚みの厚い部分に囲まれていたが、低坪量凹部６２ｂと同様の低坪量凹部を、吸収性コア４の長手方向Ｘの両端縁４ａ，４ｃまで延在させた場合は、該低坪量凹部の左又は右側のみに厚みの厚い部分が存在することになる。その場合も低坪量凹部に含める。
【００５５】
低坪量凹部６２ｂと同様の低坪量凹部が、吸収性コア４の長手方向Ｘの両端縁まで延びていることによって、吸収性コア４の柔軟性が一層向上する。また使用者がショーツ等に生理用ナプキン等の吸収性物品を固定する際には、吸収性コア４の側部部分を摘まむことが多く、その側部部分を薄くすることで商品の薄さを実感させることができ、商品価値が向上する。
【００５６】
また、第２実施形態のナプキンにおける低坪量凹部６２ｂは、吸収性コア４の側縁４ｓ，４ｓに接するように形成されていたが、低坪量凹部６２ｂを、吸収性コア４の側縁４ｓ，４ｓから離間させて形成することもできる。その場合の低坪量凹部６２ｂは、前後と左右の４方を、当該部位よりも厚みの厚い部分に囲まれるものとなる。
【００５７】
また、第１及び第２実施形態のナプキンにおける排泄部隆起領域４０は、吸収性コア４の長手方向に長い形状の中央肉厚部４１と、中央肉厚部４１の長手方向に沿う両側縁それぞれから外方に膨出する側方肉厚部４２とを有するものであったが、本発明における排泄部隆起領域４０は、第１又は第２実施形態のナプキンにおける中央肉厚部４１のみからなるものであっても良い。また、中央肉厚部４１及び側方肉厚部４２の平面視形状は、図１１（ａ）〜図１１（ｆ）に示すような形状であっても良い。排泄部隆起領域４０の全体又は一部を構成する中央肉厚部４１の後端縁４１ｃは、図１１（ａ）に示すように、吸収性コア４の幅方向Ｙに沿う直線状であっても良い。また、後方隆起領域５０は、長円形や楕円形であっても良く、後方隆起領域５０の前端縁が、排泄部隆起領域４０の前端縁と同様に、前方に向かって凸の円弧状に形成されていても良い。また、長円状又は楕円状の中央肉厚部４１は、図１１（ｂ）に示すように、長手方向の前端縁４１ａと後端縁４１ｃとで曲率半径が異なっていても良い。また、側方肉厚部４２は、図１１（ｃ）に示すように、中央肉厚部４１の側縁に沿う縁部以外の縁部が円弧状に形成されていても良い。また、吸収性コア４は、例えば、図１１（ｄ）に示すように、中央肉厚部４１と側方肉厚部４２との間に縦溝部４９を有しないものであってもよい。その場合、中央肉厚部４１の、吸収性コア４の長手方向に沿う円弧状又は直線状の側縁から延出する部分を側方肉厚部４２とすることができ、また、コア材料の坪量や厚みの変化する部分を、中央肉厚部４１と側方肉厚部４２との間の境界とすることもできる。また、図１１（ｅ）に示すように、側方肉厚部４２は長方形状であっても良い。また、中央肉厚部４１の長手方向Ｘの何れか一方の端部、例えば中央肉厚部４１の前端部に一対の側方肉厚部４２が形成されていても良い〔図１１（ｆ）参照〕。
【００５８】
また、中央肉厚部４１は、１本又は複数本の中央横溝部４４で前後に分割されている一方、側方肉厚部４２は、中央横溝部４７で前後に分割されていないものであっても良い。また、後方隆起領域５０も、後方横溝部５１で前後に分断されていないものであっても良い。
また、中央肉厚部４１は中央縦溝部４６で左右に分割されていなくても良く、後方隆起領域５０は、長手方向に沿う縦溝部で左右に分割されていても良い。
また、第１及び第２実施形態の生理用ナプキンにおいては、吸収性コア４の排泄部隆起領域４０及び後方隆起領域５０以外の部分に、吸収性コアの幅方向に延びる溝部４３ａ及び吸収性コアの長手方向に延びる溝部４３ｂが形成されていたが、それらの一方又は両方をなくすこともできる。また、中間領域６０における縦溝部６４、及び中間横溝部６２以外の横溝部６１は、それらの一方又は両方をなくすこともできる。
【００５９】
側方肉厚部４２の厚みは中央肉厚部４１と同じでも異なっていても良いが、中央肉厚部４１の厚み以下であることが好ましい。また、側方肉厚部４２は、コア材料の坪量が、中央肉厚部４１と同じでも異なっていても良いが、中央肉厚部４１よりも、コア材料の坪量が、中央肉厚部４１の坪量以下であることが好ましい。
【００６０】
また、吸収性コアは、パルプ繊維等の繊維材料のみからなるものであっても良いし、繊維材料と高吸水性ポリマーとの両者を含むものであっても良い。繊維材料としては、従来、生理用ナプキンやパンティライナー、使い捨ておむつ等の吸収性物品の吸収体に用いられている各種のものを特に制限なく用いることができ、例えば、パルプ繊維、レーヨン繊維、コットン繊維等のセルロース系繊維の短繊維や、ポリエチレン等の合成繊維の短繊維等が用いられる。これらの繊維は、１種を単独で又は２種以上を組み合わせて用いることができる。また、繊維材料は、全体又は一部がパルプ繊維であることが好ましく、繊維材料中のパルプ繊維の割合は５０〜１００質量％であることが好ましく、より好ましくは８０〜１００質量％であり、更に好ましくは１００質量％である。尚、吸収性コアには、高吸水性ポリマー以外に、消臭剤や抗菌剤等を必要に応じて配合しても良い。
【００６１】
また、本発明における吸収性コアは、圧搾縦溝１４、前方圧搾溝１５、後方圧搾溝１６及び中間圧搾横溝１７の何れか１以上を有しないものであっても良い。また、中間圧搾横溝１７は、中間横溝部６２と一部が重なっていても良いし、中間横溝部６２と重なる部分を有しないものであっても良い。
また、排泄部隆起領域は、厚みの均一な大型の吸収性構造体の一部に、別に製造した小型の吸収性構造体を積層して形成されていても良い。
また、第１及び第２実施形態の生理用ナプキンにおける吸収性コアは、中央横溝部４４、中間横溝部６２及び後方横溝部５１等の溝部が、吸収性コアの上面側（肌側シート側）に開口しているものであったが、本発明における吸収性コアは、中央横溝部、中間横溝部及び後方横溝部等の溝部が、吸収性コアの下面側（非肌側シート側）に開口しているものであっても良い。
【００６２】
また、本発明の吸収性物品は、生理用ナプキンの他、パンティライナー（おりものシート）、失禁パッド、使い捨ておむつ等の他の吸収性物品であっても良い。
上述した一の実施形態における説明省略部分及び一の実施形態のみが有する要件は、それぞれ他の実施形態に適宜適用することができ、また、各実施形態における要件は、適宜、実施形態間で相互に置換可能である。
【実施例】
【００６３】
以下、本発明を実施例により更に説明するが、本発明は、斯かる実施例により何ら制限されるものではない。
（実施例１）
図２、図４及び図５に示す形態の吸収性コア４を含む図１に示す形態の生理用ナプキンを製造した。吸収性コア４としては、前述した方法で製造した、木材パルプを９５質量％、吸収性ポリマー５質量％を含む混合積繊体を用いた。吸収性コア４は、コアラップシートで包んで、肌側シート２と非肌側シート３との間に配した。
排泄部隆起領域４０の厚み（中央肉厚部４１の厚み）、排泄部隆起領域４０の側方肉厚部４２の厚み、及び後方隆起領域５０の厚みは、この順に８．０ｍｍ、６．０ｍｍ、８．０ｍｍであり、中間領域６０及び標準吸収領域４３の厚みは４．０ｍｍであった。吸収性コア４に形成する溝部は、何れも溝部の延在方向に直交する長さ（中間横溝部６２は前記長さＬ２）を２．０ｍｍとした。また、中間領域６０及び標準吸収領域４３に形成した溝部は、深さが２．０ｍｍであり、中央肉厚部４１及び後方隆起領域５０に形成した溝部は、深さが６．０ｍｍであり、側方肉厚部４２に形成した溝部は、深さが４．０ｍｍであった。
また、中央肉厚部４１、側方肉厚部４２、中間領域６０、後方隆起領域５０、及び吸収性コア４は、吸収性コア４の長手方向Ｘに沿う長さが、順に、１３０ｍｍ、６０ｍｍ、２５ｍｍ、  ４０ｍｍ、３７０ｍｍであった。また、吸収性コア４は、その幅方向Ｙの長さ（中間横溝部の長さに同じ）が８０ｍｍであった。
また、中間横溝部の面積比（Ｓ２／Ｓ１）は０．０８、中央横溝部の面積比（Ｓ４／Ｓ３）は０．０５、後方横溝部の面積比（Ｓ６／Ｓ５）は０．０５であった。
【００６４】
表面シート２ａ、立体ガード形成用シート２ｂ、非肌側シート３、コアラップシートとしては、以下のものを用いた。
表面シート２ａ：坪量３０ｇ／ｍ２のエアスルー不織布 
立体ガード形成用シート２ｂ：坪量２０ｇ／ｍ２の不織布
非肌側シート３：坪量２５ｇ／ｍ２の非透湿性ポリエチレン製フィルム
コアラップシート：坪量１６ｇ／ｍ２の吸収紙
【００６５】
（実施例２）
吸収性コアの中間領域６０の構成を第２実施形態の構成とした以外は、実施例１と同様の構成を有する生理用ナプキンを製造した。細幅部分６２ａの前記長さＬａは２ｍｍとし、低坪量凹部６２ｂの前記長さＬｂは２５ｍｍであった。中間領域６０における、吸収性コア４の幅方向Ｙの長さは８０ｍｍであり、細幅部分６２ａの同方向の長さは８０ｍｍ、一対の低坪量凹部それぞれの同方向の長さは８０ｍｍであった。吸収性コアの中間領域６０は、低坪量凹部６２ｂの坪量を１６０ｇ／ｍ２とし、低坪量凹部６２ｂを含む中間横溝部６２Ａ及び他の溝部を除く部分の坪量を２３０ｇ／ｍ２とした。
【００６６】
（実施例３）
低坪量凹部６２ｂを吸収性コア４の長手方向の両端縁まで延在させた以外は、実施例２と同様にして生理用ナプキンを得た。
実施例２及び３の生理用ナプキンについては、中間横溝部の面積比（Ｓ２／Ｓ１）が０．４０、中央横溝部の面積比（Ｓ４／Ｓ３）が０．０６、後方横溝部の面積比（Ｓ６／Ｓ５）が０．０５であった。
（実施例４）
中間圧搾横溝１７における、吸収性コア４の幅方向Ｙの中央部に位置する部分が、中間横溝部６２と重なるようにした以外は、実施例１と同様の構成を有する生理用ナプキンを製造した。
【００６７】
（比較例１）
吸収性コアが中間領域に中間横溝部を有しない以外は、実施例１の生理用ナプキンと同一構成の生理用ナプキンを比較例とした。比較例１の生理用ナプキンについては、中間横溝部の面積比（Ｓ２／Ｓ１）が０、中央横溝部の面積比（Ｓ４／Ｓ３）が０．０６、後方横溝部の面積比（Ｓ６／Ｓ５）が０．０５であった。
【００６８】
（評価）
実施例及び比較例の生理用ナプキンについて、中間領域６０を、長手方向Ｘに２等分する中間領域中央線ＣＬ（図７参照）の位置を中心とし、該中心及びそこからの離間した各部位において、ナプキンの剛性を以下の方法により測定した。実施例２については、前記の中心の位置における剛性のみ測定した。結果を図１２に示す。図１２の横軸は、前記の中心の位置を０ｍｍとし、そこから前方側Ｘｆに離れる距離を正の値、そこから後方側Ｘｒに離れる距離を負の値として示してある。
【００６９】
〔剛性の測定方法〕
得られた生理用ナプキンについて、温度２３℃、湿度５０％の試験室に２４時間保存した後、測定用サンプルとし、同条件にて、ハンドルオメータ法（ＪＩＳ  Ｌ−１０９６）に準じて剛性値を測定した。ハンドルオメーターは、大栄科学精器製作所製の型式：ＨＯＭ−２００を用い、測定用サンプルを、非肌側シート３側を下側に向け且つナプキンの長手方向が幅１５ｍｍのスロットと直角になるように試料台上に配置し、ペネトレーターのブレードを、２００ｍｍ／ｍｉｎの一定速度で下降させ、指示計（荷重計）が示す最高値を読み取った。
【００７０】
図１２に示す結果から、実施例１〜４のように、中間領域に占有面積率の高い中間横溝部を形成することにより、そのような中間横溝部を有しない場合に比して、中間領域及びその付近の剛性が低下することが判る。また、実施例２，３のように、中間横溝部として、細幅部分と一対の低坪量凹部を有する中間横溝部を形成することにより、中間領域及びその付近の剛性が一層低下することが判る。
このように、本発明の実施例である生理用ナプキンについては、比較例１のものに比して、中間領域及びその付近の剛性が低下していることから、本発明の吸収性物品によれば、排泄部隆起領域および後方隆起領域よりも中間領域の剛性が低いことで、中間領域で着用者の肌面の形状に沿ってまがりやすくなり、着用者の肌との間に隙間が無くなり、隙間が生じることによる漏れを確実に防止することができることが判る。
【符号の説明】
【００７１】
１  生理用ナプキン（吸収性物品）
２  肌側シート
２ａ  表面シート
２ｂ  立体ガード形成用シート
３  非肌側シート
４  吸収性コア
４０  排泄部隆起領域
４１  中央肉厚部
４４  中央横溝部
４６  中央縦溝部
４５  小吸収部
４２  側方肉厚部
４７  中央横溝部
４８  小吸収部
５０  後方隆起領域
５１  後方横溝部
５２  小吸収部
６０  中間領域
６２，６２Ａ  中間横溝部（横溝部）
６２ａ  細幅部分
６２ｂ  低坪量凹部
６４  縦溝部
６５  小吸収部
６  吸収性本体
７  ウイング部
８  後方フラップ部
１０  立体ガード
１１  前方中高部（中高部）
１２  後方中高部（中高部）
１３  圧搾溝
【図１】
0006457861.tif 000002
【図２】
0006457861.tif 000003
【図３】
0006457861.tif 000004
【図４】
0006457861.tif 000005
【図５】
0006457861.tif 000006
【図６】
0006457861.tif 000007
【図７】
0006457861.tif 000008
【図８】
0006457861.tif 000009
【図９】
0006457861.tif 000010
【図１０】
0006457861.tif 000011
【図１１】
0006457861.tif 000012
【図１２】
0006457861.tif 000013